(57)【要約】【課題】光の照射を均一化させる発光キーボードを提供する。【解決手段】支持板と、透光中間フレームと、キーと、光源と、薄膜スイッチ回路を含む。透光中間フレームは光源によって発生させられるビームを通すことが可能であり、支持板は支持板開孔部を有するため、光源は支持板開孔部に伸び込むようにさせられ、光源を支持板の下方に設けることが可能である。【選択図】図４
2012089135.tif 000002
【特許請求の範囲】
【請求項１】
発光キーボードであって、
支持板開孔部を有する支持板と、
前記支持板上に設けられる透光中間フレームと、
前記透光中間フレーム上に設けられる薄膜スイッチ回路と、
前記透光中間フレームに連接され、押されることにより前記薄膜スイッチ回路と当接する、少なくとも一つのキーと、
前記支持板の下方に位置づけられ、かつ、光源回路パターンを有する光源薄膜と、
前記光源薄膜上に設けられ、前記光源回路パターンに連接され、かつ、前記支持板開孔部に伸び込み、前記光源回路パターンによって駆動させられ、ビームを発生させる光源と、
を含むことを特徴とする発光キーボード。
【請求項２】
前記薄膜スイッチ回路はさらに、
少なくとも一つの上接続点を有する上部回路基板と、
前記上部回路基板の下方に設置され、仕切り層開孔部を有する仕切り層と、
前記仕切り層の下方に位置づけられ、前記上接続点に対応する下接続点を有する下部回路基板とを含み、
前記仕切り層開孔部は前記薄膜スイッチ回路が押された時に前記上接続点に伸び込ませるために用いられ、
前記下接続点は前記薄膜スイッチ回路が押された時、前記上接続点と接触させるために用いられることを特徴とする、請求項１に記載の発光キーボード。
【請求項３】
前記支持板と前記透光中間フレームとの間に設けられ、前記ビームを誘導し、前記ビームの方向を変えるために用いられる導光膜をさらに含むことを特徴とする、請求項１に記載の発光キーボード。
【請求項４】
前記導光膜は導光膜開孔部を有し、前記支持板開孔部と対応し、かつ、前記光源は前記導光膜開孔部に伸び込み、ここでは、前記光源は順々に前記支持板開孔部と前記導光膜開孔部に伸び込むことを特徴とする、請求項３に記載の発光キーボード。
【請求項５】
前記キーは、
前記発光キーボードの表面に露呈され、かつ、透光領域を有するキーキャップと、
前記透光中間フレームと前記キーキャップの間に位置づけられ、前記透光中間フレームと前記キーキャップを連接させるために用いられ、前記キーキャップを前記透光中間フレームに対して上下移動させるはさみ式連接部材と、
前記薄膜スイッチ回路と前記キーキャップの間に位置づけられ、前記キーキャップが押された時、押し縮められ、前記薄膜スイッチ回路と当接し、前記上接続点と前記下接続点を接触させ、前記キーキャップが押されていない時には、弾性力を前記キーキャップに提供し、前記キーキャップを元の位置に戻させる弾性体と、を含むことを特徴とする、請求項１に記載の発光キーボード。
【請求項６】
前記キーキャップは第一キーキャップ固定構造と第二キーキャップ固定構造を有し、前記透光中間フレームは第一中間フレーム固定構造と第二中間フレーム固定構造を有し、かつ、前記第一中間フレーム固定構造、前記第二中間フレーム固定構造と前記透光中間フレームは一体形成されていることを特徴とする、請求項５に記載の発光キーボード。
【請求項７】
前記はさみ式連接部材はさらに、
第一フレームと第二フレームを含み、
前記第一フレームの第一末端は前記第二中間フレーム固定構造に連接され、前記第一フレームの第二末端は前記第一中間フレーム固定構造に連接され、前記第二フレームの第一末端は前記第二キーキャップ固定構造に連接され、前記第二フレームの第二末端は前記第一中間フレーム固定構造に連接されることを特徴とする、請求項６に記載の発光キーボード。
【請求項８】
前記透光中間フレームは透明な材質によって製造され、前記弾性体は透光ゴムによって製造され、前記光源薄膜はプラスチック薄膜であることを特徴とする、請求項１に記載の発光キーボード。
【請求項９】
前記支持板は金属材質によって製造されることを特徴とする、請求項１に記載の発光キーボード。
【請求項１０】
前記光源は側向式発光ダイオード（Ｓｉｄｅ  ｖｉｅｗ  ｌｉｇｈｔ  ｅｍｉｔｔｉｎｇ  ｄｉｏｄｅ）であることを特徴とする、請求項１に記載の発光ダイオード。
【発明の詳細な説明】
【技術分野】
【０００１】
本発明は、発光キーボードに関し、より詳しくは、発光機能を有する発光キーボードに関する。
【背景技術】
【０００２】
一般的に言えば、コンピューター周辺入力装置にはマウス、キーボードとトラックボールなどを含まれており、そのうち、キーボードは直接文字と符号をコンピューターに入力できるため、ユーザーと入力装置メーカーからかなり重要視されている。続いて周知のキーボードの構造と機能を説明し、図１は周知のキーボードの外観構造模式図である。周知のキーボード１の表面上には複数のキーがあり、前記これらのキーは一般キー１０、数字キー１１とファンクションキー１２などに分類され、前記これらのキーはユーザーが指で押すことにより、対応する信号をコンピューターに発生させ、コンピューターに押されたキーの機能を実行させ、例えば、一般キー１０はアルファベットなどの符号を入力するために用いられ、数字キー１１は数字を入力するために用いられ、ファンクションキー１２は各種機能を提供するために用いられ、例えば、Ｆ１〜Ｆ１２などがある。
【０００３】
しかし、技術の革新に伴い、キーボードメーカーは各種特殊機能を有するキーボードを研究開発し、異なるユーザーの各種要求を満足させるよう努力しており、発光機能を有するキーボードを例に説明すると、例えば、図２の周知の発光キーボードの構造側面模式図に示されている。発光キーボード２はキー２０、金属底板２１、薄膜スイッチ回２２、光源２３と導光板２４を含む。キー２０はキーキャップ２０１、はさみ式連接部材２２と弾性体２０３を含む。発光キーボード２中で、上述の各部材は上から下の配列順序で、キーキャップ２０１、はさみ式連接部材２０２、弾性体２０３、薄膜スイッチ回路２２、金属底板２１と導光板２４となっており、光源２３は導光板２４の片側に位置づけられる。光源２３はフレキシブルプリント回路（Ｆｌｅｘｉｂｌｅ  Ｐｒｉｎｔｅｄ  Ｃｉｒｃｕｉｔ，ＦＰＣ）２５によって、発光キーボード２の回路板（図中では標示せず）に連接され、フレキシブルプリント回路２５によって電力を得て、光源２３はビームＢを発生させるために用いられ、ここでは、光源２３は発光ダイオード（Ｌｉｇｈｔ  Ｅｍｉｔｔｅｒ  Ｄｉｏｄｅ，ＬＥＤ）であり、かつ、弾性体２０３は透光ゴムである。
【０００４】
図２中では、導光板２４はビームＢを誘導させるために用いられ、ビームＢはキーボード全体に拡散させられ、ビームＢの進行方向を変化させ、ビームＢは上へ進むようにさせられる。薄膜スイッチ回路２２は金属底板２１上に設けられ、かつ、金属底板２１は第一固定構造２１１、第二固定構造２１２と二つの開孔部２１３を有し、開孔部２１３はビームＢを通過させ、ビームＢを薄膜スイッチ回路２２に入れるために用いられる。キーキャップ２０１は第一キーキャップ固定構造２０１１、第二キーキャップ固定構造２０１２と透光領域２０１３を含み、はさみ式連接部材２０２は第一フレーム２０２１と第二フレーム２０２２を含む。第一フレーム２０２１の第一末端２０２１Ａは第二固定構造２１２に連接され、第一フレーム２０２１の第二末端２０２１Ｂは第一キーキャップ固定構造２０１１に連接され、第二フレーム２０２２の第一末端２０２２Ａは第一固定構造２１１に連接され、第二フレーム２０２２の第二末端２０２２Ｂは第二キーキャップ固定構造２０１２に連接される。
【発明の概要】
【発明が解決しようとする課題】
【０００５】
続いて、図２のキー２が押されて、金属底板２１に対して下に移動する時、はさみ式連接部材２０２の第一フレーム２０２１と第二フレーム２０２２は開閉状態から折り畳み状態に変化し、かつ、下に移動するキーキャップ２０１は弾性体２０３を押し縮め、弾性体２０３が薄膜スイッチ回路２２に当接するようにさせ、キー２０に対応するキー信号を発生させる。キー２０が押されなくなった時、弾性体２０３は弾性力をキーキャップ２０１に提供し、キーキャップ２０１は金属底板２１に対して上に移動し、かつ、第一フレーム２０２１と第二フレーム２０２２は折り畳み状態から開閉状態に変化し、キーキャップを元の位置に戻させる。光源２３がビームＢを発生させる時、ビームＢは導光板２４に入り込み、導光板２４はビームＢの方向を変化させ、ビームＢの一部は金属底板２１によって阻止され、残りのビームは開孔部２１３を通過し、薄膜スイッチ回路２２に入り込む。続いて、ビームＢは順々に薄膜スイッチ回路２２、弾性体２０３とキーキャップ２０１上の透光領域２０１３を通過し、キー２０を発光させる。しかし、周知の発光キーボードを作動させる時、金属底板２１下方に位置づけられる光源２３が発生させる大部分のビームＢは金属板２１によって阻止されるため、周知の発光キーボードは光の照射が不均一であるという現象が発生するといった問題があった。
【０００６】
本発明は、このような従来の問題に鑑みてなされたものである。上記課題解決のため、本発明は、光の照射が均一化された発光キーボードを提供することを主目的とする。
【課題を解決するための手段】
【０００７】
本発明は、透光性の中枠と、透光性の中枠上に設置された薄膜スイッチング回路と、透光性の中枠に連接され、押下されると薄膜スイッチング回路に当接する少なくとも１つのキーと、キーと透光性の中枠の間にあって光ビームを生じる光源とを含むことを特徴とする発光キーボードを提供する。
【０００８】
好ましい実施例において、薄膜スイッチング回路は、少なくとも１つの上接点と光源回路パターンを備え、光源と光源回路パターンが設置される上回路基板であって、光源回路パターンは光源に連接されて光源を駆動するものと、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔とを備えた下回路基板とを含み、光源は第２隔離層開孔と下回路基板開孔を順番に貫通して、透光性の中枠の中枠開孔に入る。
【０００９】
好ましい実施例において、薄膜スイッチング回路は、少なくとも１つの上接点を備えた上回路基板と、上回路基板の下方にあり、隔離層開孔と光源回路パターンを備えた隔離層であって、隔離層開孔は薄膜スイッチング回路が押下されると上接点が入り、光源と光源回路パターンは隔離層上に設置され、光源回路パターンは光源に連接されて光源を駆動するものと、隔離層の下方にあり、薄膜スイッチング回路が押下されると上接点と接触して上接点に対応する下接点と光源に貫通される下回路基板開孔とを備えた下回路基板とを含み、光源は下回路基板開孔を貫通して透光性の中枠の中枠開孔に入る。
【００１０】
好ましい実施例において、薄膜スイッチング回路は、少なくとも１つの上接点を備えた上回路基板と、上回路基板の下方にあり、薄膜スイッチング回路が押下されると上接点が入る隔離層開孔を備えた隔離層と、隔離層の下方にあり、薄膜スイッチング回路が押下されると上接点と接触して上接点に対応する下接点と光源回路パターンとを備えた下回路基板とを含み、光源と光源回路パターンは上回路基板上に設置され、光源は透光性の中枠の中枠開孔に入り、光源回路パターンは光源に連接されて光源を駆動する。
【００１１】
好ましい実施例において、本発明の発光キーボードは、透光性の中枠の下方にあって光ビームを反射し、透光性の中枠が湾曲しないようにする支持板を更に含む。
【００１２】
好ましい実施例において、本発明の発光キーボードは、薄膜スイッチング回路と透光性の中枠の間にあって光ビームを導き、光源に貫通される導光フィルム開孔を備えた導光フィルムを更に含み、光ビームは透光性の中枠、導光フィルム、支持板、導光フィルム、透光性の中枠、薄膜スイッチング回路及びキーを順番に通過する。
【００１３】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００１４】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００１５】
好ましい実施例において、本発明はまた、支持板と、支持板上に設置された透光性の中枠と、透光性の中枠上に設置された薄膜スイッチング回路と、透光性の中枠に連接され、押下されると薄膜スイッチング回路に当接する少なくとも１つのキーと、キーと支持板の間にあって光源回路パターンを備えた光源フィルムと、光源フィルム上に設置され、光源回路パターンに連接され駆動されて光ビームを生じる光源とを含むことを特徴とする発光キーボードを提供する。
【００１６】
好ましい実施例において、光源フィルムはキーと薄膜スイッチング回路の間に設置され、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔を備えた下回路基板とを含み、光源は上回路基板開孔、第２隔離層開孔及び下回路基板開孔を順番に貫通して透光性の中枠に入る。
【００１７】
好ましい実施例において、光源フィルムは薄膜スイッチング回路と透光性の中枠の間に設置され、透光性の中枠は光源が入る中枠開孔を備える。
【００１８】
好ましい実施例において、光源フィルムは透光性の中枠と支持板の間に設置され、透光性の中枠は光源が入る中枠開孔を備える。
【００１９】
好ましい実施例において、本発明の発光キーボードは、光源フィルムに隣接して光ビームを導いて光ビームの方向を変更し、光源に貫通される導光フィルム開孔を備えた導光フィルムを更に含む。
【００２０】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００２１】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００２２】
好ましい実施例において、本発明は、透光性の中枠と、透光性の中枠上に設置された薄膜スイッチング回路と、透光性の中枠に連接され、押下されると薄膜スイッチング回路に当接する少なくとも１つのキーと、薄膜スイッチング回路とキーの間にあり、弾性体が光源回路パターンを備えた弾性体フィルムと、弾性体フィルム上に設置されて光源回路パターンに連接され駆動されて光ビームを生じる光源とを含むことを特徴とする発光キーボードを更に提供する。
【００２３】
好ましい実施例において、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と、光源に貫通される下回路基板開孔とを備えた下回路基板とを含み、光源は上回路基板開孔、第２隔離層開孔及び下回路基板開孔を順番に貫通して透光性の中枠の開孔に入る。
【００２４】
好ましい実施例において、弾性体フィルムは、キーキャップが押下されて透光性の中枠に対向して下方移動する際、弾性体に貫通されて弾性体を薄膜スイッチング回路に当接させる薄膜開孔を備える。
【００２５】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、弾性体フィルム上に設置され、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００２６】
好ましい実施例において、  キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００２７】
好ましい実施例において、本発明の発光キーボードは、
導光中枠の下方にあり、光ビームを反射して導光中枠が湾曲しないようにする支持板と、
支持板と導光中枠の間にあって光ビームを導いて光ビームの方向を変更する導光フィルムと、
をさらに含む。
【００２８】
上述した課題を解決し、目的を達成するために、本発明に係る発光キーボードは支持板開孔部を有する支持板と、前記支持板上に設けられる透光中間フレームと、前記透光中間フレーム上に設けられる薄膜スイッチ回路と、前記透光中間フレームに連接され、押されることにより前記薄膜スイッチ回路と当接する、少なくとも一つのキーと、前記支持板の下方に位置づけられ、かつ、光源回路パターンを有する光源薄膜と、前記光源薄膜上に設けられ、前記光源回路パターンに連接され、かつ、前記支持板開孔部に伸び込み、前記光源回路パターンによって駆動させられ、ビームを発生させる光源と、を含むことを特徴とする。
【００２９】
より好ましい実施形態では、前記薄膜スイッチ回路は少なくとも一つの上接続点を有する上部回路基板と、前記上部回路基板の下方に設置され、仕切り層開孔部を有する仕切り層と、前記仕切り層の下方に位置づけられ、前記上接続点に対応する下接続点を有する下部回路基板とを含み、前記仕切り層開孔部は前記薄膜スイッチ回路が押された時に前記上接続点に伸び込ませるために用いられ、前記下接続点は前記薄膜スイッチ回路が押された時、前記上接続点と接触させるために用いられることを特徴とする。
【００３０】
より好ましい実施形態では、前記支持板と前記透光中間フレームとの間に設けられ、前記ビームを誘導し、前記ビームの方向を変えるために用いられる導光膜をさらに含むことを特徴とする。
【００３１】
より好ましい実施形態では、前記導光膜は導光膜開孔部を有し、前記支持板開孔部と対応し、かつ、前記光源は前記導光膜開孔部に伸び込み、ここでは、前記光源は順々に前記支持板開孔部と前記導光膜開孔部に伸び込むことを特徴とする。
【００３２】
より好ましい実施形態では、前記キーは、
前記発光キーボードの表面に露呈され、かつ、透光領域を有するキーキャップと、
前記透光中間フレームと前記キーキャップの間に位置づけられ、前記透光中間フレームと前記キーキャップを連接させるために用いられ、前記キーキャップを前記透光中間フレームに対して上下移動させるはさみ式連接部材と、
前記薄膜スイッチ回路と前記キーキャップの間に位置づけられ、前記キーキャップが押された時、押し縮められ、前記薄膜スイッチ回路と当接し、前記上接続点と前記下接続点を接触させ、前記キーキャップが押されていない時には、弾性力を前記キーキャップに提供し、前記キーキャップを元の位置に戻させる弾性体と、
を含むことを特徴とする。
【００３３】
より好ましい実施形態では、前記キーキャップは第一キーキャップ固定構造と第二キーキャップ固定構造を有し、前記透光中間フレームは第一中間フレーム固定構造と第二中間フレーム固定構造を有し、かつ、前記第一中間フレーム固定構造、前記第二中間フレーム固定構造と前記透光中間フレームは一体形成されていることを特徴とする。
【００３４】
より好ましい実施形態では、前記はさみ式連接部材はさらに、第一フレームと第二フレームを含み、前記第一フレームの第一末端は前記第二中間フレーム固定構造に連接され、前記第一フレームの第二末端は前記第一中間フレーム固定構造に連接され、前記第二フレームの第一末端は前記第二キーキャップ固定構造に連接され、前記第二フレームの第二末端は前記第一中間フレーム固定構造に連接されることを特徴とする。
【００３５】
より好ましい実施形態では、前記透光中間フレームは透明な材質によって製造され、前記弾性体は透光ゴムによって製造され、前記光源薄膜はプラスチック薄膜であることを特徴とする。
【００３６】
より好ましい実施形態では、前記支持板は金属材質によって製造されることを特徴とする。
【００３７】
より好ましい実施形態では、前記光源は側向式発光ダイオード（Ｓｉｄｅ  ｖｉｅｗ  ｌｉｇｈｔ  ｅｍｉｔｔｉｎｇ  ｄｉｏｄｅ）であることを特徴とする。
【００３８】
さらに、本発明は、透光性の中枠と、透光性の中枠上に設置された薄膜スイッチング回路と、透光性の中枠に連接され、押下されると薄膜スイッチング回路に当接する少なくとも１つのキーと、キーと透光性の中枠の間にあって光ビームを生じる光源とを含むことを特徴とする発光キーボードを提供する。
【００３９】
好ましい実施例において、薄膜スイッチング回路は、少なくとも１つの上接点と光源回路パターンを備え、光源と光源回路パターンが設置される上回路基板であって、光源回路パターンは光源に連接されて光源を駆動するものと、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔とを備えた下回路基板とを含み、光源は第２隔離層開孔と下回路基板開孔を順番に貫通して、透光性の中枠の中枠開孔に入る。
【００４０】
好ましい実施例において、薄膜スイッチング回路は、少なくとも１つの上接点を備えた上回路基板と、上回路基板の下方にあり、隔離層開孔と光源回路パターンを備えた隔離層であって、隔離層開孔は薄膜スイッチング回路が押下されると上接点が入り、光源と光源回路パターンは隔離層上に設置され、光源回路パターンは光源に連接されて光源を駆動するものと、隔離層の下方にあり、薄膜スイッチング回路が押下されると上接点と接触して上接点に対応する下接点と光源に貫通される下回路基板開孔とを備えた下回路基板とを含み、光源は下回路基板開孔を貫通して透光性の中枠の中枠開孔に入る。
【００４１】
好ましい実施例において、薄膜スイッチング回路は、少なくとも１つの上接点を備えた上回路基板と、上回路基板の下方にあり、薄膜スイッチング回路が押下されると上接点が入る隔離層開孔を備えた隔離層と、隔離層の下方にあり、薄膜スイッチング回路が押下されると上接点と接触して上接点に対応する下接点と光源回路パターンとを備えた下回路基板とを含み、光源と光源回路パターンは上回路基板上に設置され、光源は透光性の中枠の中枠開孔に入り、光源回路パターンは光源に連接されて光源を駆動する。
【００４２】
好ましい実施例において、本発明の発光キーボードは、透光性の中枠の下方にあって光ビームを反射し、透光性の中枠が湾曲しないようにする支持板を更に含む。
【００４３】
好ましい実施例において、本発明の発光キーボードは、薄膜スイッチング回路と透光性の中枠の間にあって光ビームを導き、光源に貫通される導光フィルム開孔を備えた導光フィルムを更に含み、光ビームは透光性の中枠、導光フィルム、支持板、導光フィルム、透光性の中枠、薄膜スイッチング回路及びキーを順番に通過する。
【００４４】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００４５】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００４６】
好ましい実施例において、本発明はまた、支持板と、支持板上に設置された透光性の中枠と、透光性の中枠上に設置された薄膜スイッチング回路と、透光性の中枠に連接され、押下されると薄膜スイッチング回路に当接する少なくとも１つのキーと、キーと支持板の間にあって光源回路パターンを備えた光源フィルムと、光源フィルム上に設置され、光源回路パターンに連接され駆動されて光ビームを生じる光源とを含むことを特徴とする発光キーボードを提供する。
【００４７】
好ましい実施例において、光源フィルムはキーと薄膜スイッチング回路の間に設置され、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と光源に貫通される下回路基板開孔を備えた下回路基板とを含み、光源は上回路基板開孔、第２隔離層開孔及び下回路基板開孔を順番に貫通して透光性の中枠に入る。
【００４８】
好ましい実施例において、光源フィルムは薄膜スイッチング回路と透光性の中枠の間に設置され、透光性の中枠は光源が入る中枠開孔を備える。
【００４９】
好ましい実施例において、光源フィルムは透光性の中枠と支持板の間に設置され、透光性の中枠は光源が入る中枠開孔を備える。
【００５０】
好ましい実施例において、本発明の発光キーボードは、光源フィルムに隣接して光ビームを導いて光ビームの方向を変更し、光源に貫通される導光フィルム開孔を備えた導光フィルムを更に含む。
【００５１】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、薄膜スイッチング回路とキーキャップの間にあり、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００５２】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００５３】
好ましい実施例において、本発明は、透光性の中枠と、透光性の中枠上に設置された薄膜スイッチング回路と、透光性の中枠に連接され、押下されると薄膜スイッチング回路に当接する少なくとも１つのキーと、薄膜スイッチング回路とキーの間にあり、弾性体が光源回路パターンを備えた弾性体フィルムと、弾性体フィルム上に設置されて光源回路パターンに連接され駆動されて光ビームを生じる光源とを含むことを特徴とする発光キーボードを更に提供する。
【００５４】
好ましい実施例において、薄膜スイッチング回路は、少なくとも１つの上接点と光源に貫通される上回路基板開孔を備えた上回路基板と、上回路基板の下方にあり、薄膜スイッチング回路が押下されると上接点が入る第１隔離層開孔と光源に貫通される第２隔離層開孔を備えた隔離層と、隔離層の下方にあり、薄膜スイッチング回路が押下されると上接点と接触して上接点に対応する下接点と、光源に貫通される下回路基板開孔とを備えた下回路基板とを含み、光源は上回路基板開孔、第２隔離層開孔及び下回路基板開孔を順番に貫通して透光性の中枠の開孔に入る。
【００５５】
好ましい実施例において、弾性体フィルムは、キーキャップが押下されて透光性の中枠に対向して下方移動する際、弾性体に貫通されて弾性体を薄膜スイッチング回路に当接させる薄膜開孔を備える。
【００５６】
好ましい実施例において、キーは、発光キーボードの表面に露出して透光領域を備えたキーキャップと、透光性の中枠とキーキャップの間にあり、透光性の中枠とキーキャップを連接してキーキャップを透光性の中枠に対向して上下移動させる鋏型連接部材と、弾性体フィルム上に設置され、キーキャップが押下されると、圧縮されて薄膜スイッチング回路に当接して、上接点と下接点とを接触させ、キーキャップが押下されなくなると、弾性力をキーキャップに提供して、キーキャップを復位させる弾性体とを含む。
【００５７】
好ましい実施例において、キーキャップは第１キーキャップ固定構造と第２キーキャップ固定構造を備え、透光性の中枠は第１中枠固定構造と第２中枠固定構造を備え、第１中枠固定構造、第２中枠固定構造及び透光性の中枠は一体成型とし、鋏型連接部材は第１フレームと第２フレームを備え、第１フレームの第１端は第２中枠固定構造に連接され、第１フレームの第２端は第１キーキャップ固定構造に連接され、第２フレームの第１端は第１中枠固定構造に連接され、第２フレームの第２端は第２キーキャップ固定構造に連接される。
【００５８】
好ましい実施例において、本発明の発光キーボードは、
導光中枠の下方にあり、光ビームを反射して導光中枠が湾曲しないようにする支持板と、
支持板と導光中枠の間にあって光ビームを導いて光ビームの方向を変更する導光フィルムと、
をさらに含む。
【発明の効果】
【００５９】
本発明によれば、光の照射が均一化された発光キーボードが得られる。
【図面の簡単な説明】
【００６０】
【図１】周知のキーボードの外観構造模式図である。
【図２】周知の発光キーボードの構造側面模式図である。
【図３】本発明の発光キーボードのより好ましい実施形態に係る構造模式図である。
【図４】本発明の発光キーボードのより好ましい実施形態に係る局部構造分解図である。
【図５】本発明の発光キーボードのより好ましい実施形態に係る局部構造側面模式図である。
【発明を実施するための形態】
【００６１】
以下に図面を参照して本発明を実施するための形態について、詳細に説明する。なお、本発明は、以下に説明する実施形態に限定されるものではない。
【実施例】
【００６２】
〔第１実施形態〕
まず、本発明の発光キーボードの第１実施形態について説明する。本発明の実施形態に係る発光キーボードは図３の本発明の発光キーボードのより好ましい実施形態に係る構造模式図に示されている。発光キーボード３は支持板３０、透光中間フレーム３１、複数のキー３２、光源３３（図中では一つだけ示されている）、薄膜スイッチ回路３４、光源薄膜３５と導光膜３６を含む。複数のキー３２は薄膜スイッチ回路３４上に設けられ、薄膜スイッチ回路３４は透光中間フレーム３１上に設けられ、かつ、透光中間フレーム３１は支持板３０上に設けられ、導光膜３６は支持板３０と透光中間フレーム３１の間に設けられ、光源薄膜３５は支持板３０の下方に設けられる。このより好ましい実施形態では、光源３３は発光ダイオードであり、かつ、これは側向式発光ダイオード（Ｓｉｄｅ  ｖｉｅｗ  ｌｉｇｈｔ  ｅｍｉｔｔｉｎｇ  ｄｉｏｄｅ）であり、光源３３は一対一でキー３２と対応しているわけではなく、発光キーボード３全体に関していえば、光源３３から発生されるビームはすべてのキー３２が発光効果を有するに十分である。
【００６３】
続いて、発光キーボード３の細部構造について説明し、図３中のあるキー３２を例に挙げて説明し、図４の本発明の発光キーボードのより好ましい実施形態に係る局部構造分解図を参照する。図４は支持板３０、透光中間フレーム３１、キー３２、光源３３、薄膜スイッチ回路３４、光源薄膜３５と導光膜３６を示している。透光中間フレーム３１は第一中間フレーム固定構造３１１と第二中間フレーム固定構造３１２を有しており、かつ、第一中間フレーム固定構造３１１、第二中間フレーム固定構造３１２と透光中間フレーム３１は一体形成されており、このより好ましい実施形態では、透光中間フレーム３１は透明材質によって製造されているため、透光中間フレーム３１は光を阻止せず、光を通過させる効果を有する。キー３２はキーキャップ３２１、はさみ式連接部材３２２と弾性体３２３を含む。キーキャップ３２１は発光キーボード３の表面に露呈され、かつ、キーキャップ３２１は透光領域３２１１を有し、その位置はキーキャップ３２１の上表面であり、はさみ式連接部材３２２は第一フレーム３２２１と第二フレーム３２２２を含み、この好ましい実施形態では、弾性体３２３は透光ゴムによって製造されており、弾性体３２３は光を阻止せず、光を通過させる効果を有する。
【００６４】
〔第２実施形態〕
次は、本発明の発光キーボードの第２実施形態について説明する。
図４では、支持板３０の下方に位置づけられる光源薄膜３５は光源回路パターン３５１を有しており、かつ、光源３３は光源薄膜３５上に設けられ、光源回路パターン３５１に連接され、光源３３は光源回路パターン３５１によって駆動させられ、ビームＢ’を発生させる（図５参照）。支持板３０はビームＢ’を反射させるために用いられ、かつ、支持板３０は支持板開孔部３０１を有し、これの設置位置は光源３３に対応する。導光膜３６は支持板３０と透光中間フレーム３１の間に設けられ、ビームＢ’を誘導し、ビームＢ’の方向を変化させるために用いられ、ビームＢ’がキー３２に投射させられるようにし、かつ、導光膜３６は導光膜開孔部３６１を有し、その設置位置は支持板開孔部３０１に対応する。このより好ましい実施形態では、光源薄膜はプラスチック薄膜であり、支持板３０は金属材質によって製造されており、かつ、金属で製造される支持板３０はより好ましい光反射性を有する。薄膜スイッチ回路３４は透光中間フレーム３１とキー３２の間に位置づけられ、かつ、薄膜スイッチ回路３４は上部回路基板３４１、仕切り層３４２と下部回路基板３４３を含む。上部回路基板３４１は少なくとも一つの上接続点３４１１を有し、仕切り層３４２は仕切り層開孔部３４２１を有し、仕切り層開孔部３４２１は薄膜スイッチ回路３４が押された時に上接続点３４１１に伸び込ませるために用いられる。下部回路基板３４３は上接続点３４１１に対応する下接続点３４３１を有し、下接続点３４３１は薄膜スイッチ回路３４が押された時、上接続点３４１１と接触させるために用いられる（各部材の結合状態に関しては、図５を参照）。
【００６５】
〔第３実施形態〕
次は、本発明の発光キーボードの第３実施形態について説明する。
図５は本発明の発光キーボードのより好ましい実施形態に係る局部構造側面模式図である。発光キーボード３中で、透光中間フレーム３１は支持板３０上に設けられ、支持板３０によって透光中間フレーム３１の構造強度は強化されるため、透光中間フレーム３１が折れ曲がることを避けることができる。導光膜３６は透光中間フレーム３１と支持板３０の間に設けられ、かつ、光源薄膜３５は支持板３０の下方に設けられ、光源３３は光源薄膜３５上に設けられ、光源３３は順々に支持板開孔部３０１と導光膜開孔部３６１に伸び込むようにさせられ、光源が発生させるビームＢ’は導光膜３６に入り込む。
【００６６】
薄膜スイッチ回路３４は透光中間フレーム３１上に設けられ、かつ、上部回路基板３４１は仕切り層３４２上に折り畳まれ、仕切り層３４２は下部回路基板３４３上に折り畳まれる。弾性体３２３は薄膜スイッチ回路３４上に設けられ、かつ、キーキャップ３２１は弾性体３２３上に設けられる。はさみ式連接部材３２２は透光中間フレーム３１とキーキャップ３２１の間に位置づけられ、透光中間フレーム３１とキーキャップ３２１を連接させ、キーキャップ３２１が透光中間フレーム３１に対し、上下移動するようにさせるために用いられ、ここでは、はさみ式連接部材３２２の第一フレーム３２２１の第一末端３２２１Ａは第二中間フレーム固定構造３１２に連接され、第一フレーム３２２１の第二末端３２２１Ｂは第一キーキャップ固定構造３２１２に連接されており、はさみ式連接部材３２２の第二フレーム３２２２の第一末端３２２２Ａは第二キーキャップ固定構造３１３に連接され、第二フレーム３２２２の第二末端３２２２Ｂは第一中間フレーム固定構造３１１に連接されている。
【００６７】
キー３２が押され、透光中間フレーム３１に対して下に移動する時、はさみ式連接部材３２２の第一フレーム３２２１と第二フレーム３２２２は開閉状態から折り畳み状態に変化し、かつ、下に移動するキーキャップ３２１は弾性体３２３を押し縮め、弾性体３２３が薄膜スイッチ回路３４に当接するようにさせる。薄膜スイッチ回路３４では、上接続点３４１１は仕切り層開孔部３４２１に伸び込み、下接続点３４３１と接触し、上接続点３４１１と下接続点３４３１間の電性導電が確立され、これにより、キー３２に対応するキー信号が発生させられる。キー３２が押されなくなった時、弾性体３２３はキーキャップ３２１に弾性力を提供し、キーキャップ３２１は透光中間フレーム３１に対して上に移動し、かつ、第一フレーム３２２１と第二フレーム３２２２は折り畳み状態から開閉状態に変化し、キーキャップ３２１は元の位置に戻される。
【００６８】
図５によれば、光源３３がビームＢ’を発生させる時、ビームＢ’の一部分は導光膜３６に投射され入り込み、ビームＢ’の一部分はその進行方向を変化させられ、順々に透光中間フレーム３１、薄膜スイッチ回路３４を通過し、キー３２に投射され、ここでは、これらビームＢ’の一部分は弾性体３２３を通過し、かつ、キーキャップ３２１に投射され、その他の部分のビームＢ’は弾性体３２３を通過せず、キー３２１に投射される。一方、別の一部分のビームＢ’は下に投射され、支持板３０によって反射し、その進行方向を変化させ、別の一部分のビームＢ’は導光膜３６に入り込み、上述の経路によってキーキャップ３２１に投射される。最後に、ビームＢ’はキーキャップ３２１上に位置づけられる透光領域３２１１を通過し、これによって発光キーボード３は発光させられる。
【００６９】
ちなみに、キーキャップ３２１上の透光領域３２１１はキーキャップ３２１の表面の文字や符号を有する領域であり、例えば、キーＡ上のＡという文字がある領域である。上述の構造により、ビームＢ’が透光領域３２１１を通過することにより、キー３２上の文字や符号は発光させられる。
【００７０】
上述からわかるように、本発明の発光キーボードの透光中間フレームは周知の金属底板と同様の機能−はさみ式連接部材と連接し、キーと透光中間フレームの結合を確立させ、また、透光中間フレームは透明材質によって製造されており、光源は透光中間フレームの下方に設けることができ、ビームは透光中間フレームを通過し、遮断されないため、キーキャップを通過するビームはより高い輝度を発生させることができ、ビームが周知の金属底板によって遮断され、光の照射の不均一が発生するという現象がない。つまり、透明材質によって製造される透光中間フレームはビームを通過させることができるため、光源を設置できる位置は周知の発光キーボードのように制限されることがない。さらに、支持板には光源に対応する支持板開孔部が設けられており、光源は支持板開孔部に伸び込むことができ、かつ、光源によって発生されるビームは支持板によって阻止されることがないため、光源は支持板の下方の位置に設けることが可能である。
【００７１】
以上、本発明はこのような実施形態に限定されるものではなく、発明の趣旨を逸脱しない範囲において、種々の形態で実施することができる。
【符号の説明】
【００７２】
１、２、３  キーボード
１０  一般キー
１１  数字キー
１２  ファンクションキー
２０、３２  キー
２１  金属底板
２２、３４  薄膜スイッチ回路
２３、３３  光源
２４  導光板
２５  フレキシブルプリント基板
３０  支持板
３１  透光中間フレーム
３５  光源薄膜
３６  導光膜
２０１、３２１  キーキャップ
２０２、３２２  はさみ式連接部材
２０３、３２３  弾性体
２１１  第一固定構造
２１２  第二固定構造
２１３  開孔部
３０１  支持板開孔部
３１１  第一中間フレーム固定構造
３１２  第二中間フレーム固定構造
３４１  上部回路基板
３４２  仕切り層
３４３  下部回路基板
３５１  光源回路パターン
３６１  導光膜開孔部
２０１１、３２１２  第一キーキャップ固定構造
２０２１、３２２１  第一フレーム
２０１２、３２１３  第二キーキャップ固定構造
２０２２、３２２２  第二フレーム
３２１１  透光領域
３４１１  上接続点
３４２１  仕切り層開孔部
３４３１  下接続点
２０２１Ａ、３２２１Ａ  第一フレームの第一末端
Ｂ、Ｂ’ビーム
２０２１Ｂ、３２２１Ｂ  第一フレームの第二末端
２０２２Ａ、３２２２Ａ  第二フレームの第一末端
２０２２Ｂ、３２２２Ｂ  第二フレームの第二末端
【図１】
2012089135.tif 000003
【図２】
2012089135.tif 000004
【図３】
2012089135.tif 000005
【図４】
2012089135.tif 000006
【図５】
2012089135.tif 000007